【事件の表示】
　特願２０００−２９５３５１「洗浄界面活性剤、ポリオルガノシロキサン及びアクリルターポリマーをベースとするケラチン物質洗浄用組成物」拒絶査定不服審判事件〔平成１３年　５月１５日出願公開、特開２００１−１３１０３５〕について、次のとおり審決する。
【結　論】
　本件審判の請求は、成り立たない。
【理　由】
１．手続の経緯
　本願は、平成１２年９月２８日（優先権主張１９９９年９月２９日、仏国）の出願であって、平成１６年１０月２５日付で拒絶査定がなされ、これに対し、平成１７年１月３１日に拒絶査定に対する審判請求がなされるとともに、同年３月２日付で手続補正がなされたものである。
　
２．平成１７年３月２日付の手続補正についての補正却下の決定
［補正却下の決定の結論］
　　平成１７年３月２日付の手続補正を却下する。
［理由］
（１）補正の内容
　本件補正は、平成１６年９月８日付手続補正書により補正された特許請求の範囲、すなわち
「【請求項１】　化粧上許される媒体中に、少なくとも一種の洗浄界面活性剤及び０.１ ｍ2.ｓ-1以上の粘度を有する少なくとも一種のポリオルガノシロキサンを含むケラチン物質洗浄用組成物であって、組成物がまた
−５質量％から８０質量％までの、Ｃ1−Ｃ6アルキルアクリレート及びＣ1−Ｃ6アルキルメタクリレートから選ばれたアクリレートモノマー(ａ)；
−５質量％から８０質量％までの、少なくとも１個の窒素原子又は硫黄原子を含む複素環ビニル化合物、（メタ）アクリルアミド、モノ又はジ(Ｃ1−Ｃ4)アルキルアミノ(Ｃ1−Ｃ4)アルキル（メタ）アクリレート及びモノ又はジ(Ｃ1−Ｃ4)アルキルアミノ(Ｃ1−Ｃ4)アルキル（メタ）アクリルアミドから選ばれたモノマー(ｂ)；
−０.１ 質量％から３０質量％までの、モノエチレン性不飽和イソシアネートと１,２−ブチレンオキサイド及びＣ1-4アルコキシ末端を含むエチレンオキサイドのブロックコポリマーを含むノニオン界面活性剤との間の反応により製造されたウレタン；
ノニオン界面活性剤をα，β−エチレン性不飽和カルボン酸又はその酸無水物と縮合することにより得られた共重合性エチレン性不飽和界面活性剤モノマー；
モノエチレン性不飽和モノイソシアネートとアミン官能基を含むノニオン界面活性剤とを反応させた尿素型の反応生成物から選ばれた界面活性剤モノマー；
式 ＣＨ2＝ＣＲ1ＣＨ2ＯＡmＢnＡpＲ2 の（メタ）アリルエーテル（式中、Ｒ1は水素原子又はメチル基を表し、Ａはプロピレンオキシ基又はブチレンオキシ基を表し、Ｂはエチレンオキシを表し、ｎは０に等しく、又は２００以下の整数を表し、ｍ及びｐは０又はｎより小さい整数を表し、かつＲ2 は少なくとも８個の炭素原子の疎水性基である）；及び
１価ノニオン界面活性剤とモノエチレン性不飽和イソシアネートの反応により製造されたウレタン型のノニオンモノマー；
から選ばれたモノマー(ｃ)
からなる少なくとも一種のアクリルターポリマー（モノマーの質量％はターポリマーを構成するモノマーの合計質量を基準とする）を含むことを特徴とするケラチン物質洗浄用組成物。
【請求項２】ターポリマーが組成物の合計質量に対し ０.０１質量％から２０質量％までの活性物質の比率で存在することを特徴とする請求項１記載の組成物。
【請求項３】　モノマー(ａ)がＣ2−Ｃ6アルキルアクリレートから選ばれることを特徴とする請求項１又は請求項２記載の組成物。
【請求項４】　モノマー(ｂ)が Ｎ,Ｎ−ジメチルアミノエチルメタクリレート、Ｎ,Ｎ−ジエチルアミノエチルアクリレート、Ｎ,Ｎ−ジエチルアミノエチルメタクリレート、Ｎ−ｔ−ブチルアミノエチルアクリレート、Ｎ−ｔ−ブチルアミノエチルメタクリレート、Ｎ,Ｎ−ジメチルアミノプロピルアクリルアミド、Ｎ,Ｎ−ジメチルアミノプロピルメタクリルアミド、Ｎ,Ｎ-ジエチルアミノプロピルアクリルアミド及び Ｎ,Ｎ−ジエチルアミノプロピルメタクリルアミドから選ばれることを特徴とする請求項１〜３のいずれか一項記載の組成物。
【請求項５】　モノマー(ｃ)がノニオン界面活性剤をイタコン酸と縮合することにより得られた共重合性エチレン性不飽和界面活性剤モノマーであることを特徴とする請求項１〜４のいずれか一項記載の組成物。
【請求項６】　アクリルターポリマーがアクリレート、アミノ（メタ）アクリレート及び２０モルのエチレンオキサイドでポリオキシエチレン化されたＣ10−Ｃ30アルキルイタコネートからなることを特徴とする請求項１〜５のいずれか一項記載の組成物。
【請求項７】　０.１ ｍ2.ｓ-1以上の粘度を有するポリオルガノシロキサンがポリアルキルシロキサン及びシリコーンゴムから選ばれることを特徴とする請求項１〜６のいずれか一項記載の組成物。」
を、
「【請求項１】　化粧上許される媒体中に、少なくとも一種の洗浄界面活性剤及び０.１ ｍ2.ｓ-1以上の粘度を有する少なくとも一種のポリオルガノシロキサンを含むケラチン物質を洗浄しかつ滑らかにする組成物であって、組成物がまた
−５質量％から８０質量％までの、Ｃ1−Ｃ6アルキルアクリレート及びＣ1−Ｃ6アルキルメタクリレートから選ばれたアクリレートモノマー(ａ)；
−５質量％から８０質量％までの、少なくとも１個の窒素原子又は硫黄原子を含む複素環ビニル化合物、（メタ）アクリルアミド、モノ又はジ(Ｃ1−Ｃ4)アルキルアミノ(Ｃ1−Ｃ4)アルキル（メタ）アクリレート及びモノ又はジ(Ｃ1−Ｃ4)アルキルアミノ(Ｃ1−Ｃ4)アルキル（メタ）アクリルアミドから選ばれたモノマー(ｂ)；
−０.１質量％から３０質量％までの、
ノニオン界面活性剤をα，β−エチレン性不飽和カルボン酸又はその酸無水物と縮合することにより得られた共重合性エチレン性不飽和界面活性剤モノマー；
から選ばれたモノマー(ｃ)
からなる少なくとも一種のアクリルターポリマー（モノマーの質量％はターポリマーを構成するモノマーの合計質量を基準とする）を含むことを特徴とするケラチン物質を洗浄しかつ滑らかにする組成物。
【請求項２】ターポリマーが組成物の合計質量に対し ０.０１質量％から２０質量％までの活性物質の比率で存在することを特徴とする請求項１記載の組成物。
【請求項３】　モノマー(ａ)がＣ2−Ｃ6アルキルアクリレートから選ばれることを特徴とする請求項１又は請求項２記載の組成物。
【請求項４】　モノマー(ｂ)が Ｎ,Ｎ−ジメチルアミノエチルメタクリレート、Ｎ,Ｎ−ジエチルアミノエチルアクリレート、Ｎ,Ｎ−ジエチルアミノエチルメタクリレート、Ｎ−ｔ−ブチルアミノエチルアクリレート、Ｎ−ｔ−ブチルアミノエチルメタクリレート、Ｎ,Ｎ−ジメチルアミノプロピルアクリルアミド、Ｎ,Ｎ−ジメチルアミノプロピルメタクリルアミド、Ｎ,Ｎ-ジエチルアミノプロピルアクリルアミド及び Ｎ,Ｎ−ジエチルアミノプロピルメタクリルアミドから選ばれることを特徴とする請求項１〜３のいずれか一項記載の組成物。
【請求項５】　モノマー(ｃ)がノニオン界面活性剤をイタコン酸と縮合することにより得られた共重合性エチレン性不飽和界面活性剤モノマーであることを特徴とする請求項１〜４のいずれか一項記載の組成物。
【請求項６】　アクリルターポリマーがアクリレート、アミノ（メタ）アクリレート及び２０モルのエチレンオキサイドでポリオキシエチレン化されたＣ10−Ｃ30アルキルイタコネートからなることを特徴とする請求項１〜５のいずれか一項記載の組成物。
【請求項７】　０.１ ｍ2.ｓ-1以上の粘度を有するポリオルガノシロキサンがポリアルキルシロキサン及びシリコーンゴムから選ばれることを特徴とする請求項１〜６のいずれか一項記載の組成物。」
と補正するものである。
　上記補正は、補正前の請求項１の組成物の性質をさらに「滑らかにする」と限定し、モノマー(ｃ)を５種類のうち１種「ノニオン界面活性剤をα，β−エチレン性不飽和カルボン酸又はその酸無水物と縮合することにより得られた共重合性エチレン性不飽和界面活性剤モノマー」に限定したものであるから、特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（２）引用例
　原査定の拒絶の理由に引用された本願の優先権主張の日前に頒布された特開平１０−１２０５２６号公報（以下、引用例１という。）には、以下の事項が記載されている。
(1)パーソナルケア組成物を増粘するために有効な量のポリマーレオロジー調節剤、前記ポリマーレオロジー調節剤は、アクリル酸のＣ1 〜Ｃ6 アルキルエステルおよびメタクリル酸のＣ1 〜Ｃ6 アルキルエステルからなる群より選ばれたアクリレートモノマー（ａ）５〜８０重量％、少なくとも１個の窒素または硫黄原子を含むビニル置換複素環式化合物、（メト）アクリルアミド、モノ−若しくはジ（Ｃ1 〜Ｃ4 ）アルキルアミノ（Ｃ1 〜Ｃ4 ）アルキル（メト）アクリレート、モノ−若しくはジ（Ｃ1 〜Ｃ4 ）アルキルアミノ（Ｃ1 〜Ｃ4 ）アルキル（メト）アクリルアミドからなる群より選ばれたモノマー（ｂ）５〜８０重量％、および、会合性モノマー（ｃ）０〜３０重量％、からなる群より選ばれたモノマーの重合により製造されたものであり、ここで、全ての百分率は前記ポリマーレオロジー調節剤を製造するために使用されるモノマーの合計重量を基準としたものである、並びに、パーソナルケア組成物に化粧品特性を付与するために有効な量の化粧品活性剤、を含む、増粘されたパーソナルケア組成物。（【請求項１】）
(2) 本発明は、パーソナルケア組成物に関し、この組成物は、ポリマーレオロジー調節剤（ＰＲＭ）、ここで、ＰＲＭは、アクリル酸のＣ1〜Ｃ6アルキルエステルおよびメタクリル酸のＣ1〜Ｃ6アルキルエステルからなる群より選ばれたアクリレートモノマー（ａ）約５〜約８０重量％、少なくとも１個の窒素または硫黄原子を含むビニル置換複素環式化合物、（メト）アクリルアミド、モノ−若しくはジ（Ｃ1〜Ｃ4）アルキルアミノ（Ｃ1〜Ｃ4）アルキル（メト）アクリレート、および、モノ−若しくはジ(Ｃ1〜Ｃ4)アルキルアミノ(Ｃ1〜Ｃ4)アルキル(メト)アクリルアミドからなる群より選ばれたモノマー（ｂ）約５〜約８０重量％、並びに、会合性モノマー(……)（ｃ）０〜約３０重量％を重合することにより製造され、ここで、全ての百分率はＰＲＭを製造するために使用されるモノマーの合計重量を基準とする、並びに、化粧品活性剤（ＣＡＡ）を含む。(【０００７】)
(3) ……ＰＲＭはクリームおよびローションのような水性パーソナルケア製品並びにコンディショナー、シャンプー、整髪剤、ジェル、ムース、スプレーおよびダイのようなヘアケア製品を増粘するために使用されることができる。（【０００８】）
(4) 会合性モノマーの使用は任意であるが、特定の好ましい態様において、会合性モノマーは、ポリマーを製造するために使用されるモノマーの合計重量を基準として、約 ０.１〜約３０重量％の量で、アクリレートモノマーおよびモノマー（ｂ）とともに使用される。……ノニオン性界面活性剤とα，β−エチレン系不飽和カルボン酸若しくはその酸無水物、好ましくはＣ3 〜Ｃ4 モノ−若しくはジカルボン酸またはその酸無水物、より好ましくは、アクリル酸、メタクリル酸、クロトン酸、マレイン酸、無水マレイン酸、イタコン酸および無水イタコン酸からなる群より選ばれたカルボン酸またはその酸無水物との縮合により得られたエチレン系不飽和共重合性界面活性剤モノマー……を含む。特に好ましいのは、イタコン酸とノニオン性界面活性剤との縮合により得られたエチレン系不飽和共重合性界面活性剤モノマーである。……（【００１４】）
(5) コンディショニングシャンプーの処方例として、
成分　　　　　　　　　　　　　　　　　　　　　　　重量％
ＰＲＭ　　　　　　　　　　　　　　　　　　　　　２.００（固体分）
ポリクオーターニウム−１０　　　　　　　　　　　０.７５
ラウリル硫酸ナトリウム（２９％）　　　　　　　１７.００
ラウレス硫酸ナトリウム（２６％）　　　　　　　１３.００
コカミドプロピルベタイン（３５％）　　　　　　　２.５０
コカミドＤＥＡ　　　　　　　　　　　　　　　　　４.５０
エチレングリコールジステアレート　　　　　　　　１.２５
ステアレス−２０　　　　　　　　　　　　　　　　０.３０
ジメチコン　　　　　　　　　　　　　　　　　　　３.００
クエン酸　　　　　　　　　　　　　　　　　　　　ｐＨ６になるまで
水　　　　　　　　　　　　　　　　　　　　　　　１００％までの残部
（配合物４【００５２】）
　
　同じく原査定の拒絶の理由に引用された本願の優先権主張の日前に頒布された国際公開第９８／２９０９４号パンフレット（以下、引用例２という。翻訳文として、特表２０００−５０５０９９号公報参照）には、コンディショニングシャンプー組成物に関する発明が記載され、以下の事項が記載されている。
(6) 追加のコンディショニング剤としてシリコーン化合物を含むことができること（２３頁９〜１３行、翻訳文３０頁２２〜２５行）
(7) ここで用いられるシリコーン化合物は、好ましくは２５℃で約 １,０００から約２,０００,０００センチストーク、……更により好ましくは約 １００,０００から約１,５００,０００の粘度を有することができる。……好ましいシリコーン化合物は、ポリジメチルシロキサン、ポリジエチルシロキサン及びポリメチルフェニルシロキサンである。ポリジメチルシロキサンは、ジメチコーンとしても既知であり、特に好ましい。（２５頁２６行〜２６頁２４行、翻訳文３３頁２５行〜３４頁末３行）
(8) 改良された全体的コンディショニング効果、改良された泡立ち、及び好適粘度を提供するコンディショニングシャンプーの実施例Ｉ〜Ｖにジメチコーンを２.０〜２.５％配合していることが示されている。（３５頁６〜末行、翻訳文４４頁１５行〜４５頁））
が記載されている。
　
（３）対比・判断
　引用例１の特許請求の範囲には、請求項記載の特定の組成を有するポリマーレオロジー調節剤（ＰＲＭ）と化粧品活性剤を含む、増粘されたパーソナルケア組成物の発明が記載され（上記 (1)）、その実施例として、以下の処方からなる  コンディショニングシャンプー（上記 (5)）（以下、「引用発明」という。）が記載されている。
　
成分　　　　　　　　　　　　　　　　　　　　　　　重量％
ＰＲＭ　　　　　　　　　　　　　　　　　　　　　２.００（固体分）
ポリクオーターニウム−１０　　　　　　　　　　　０.７５
ラウリル硫酸ナトリウム（２９％）　　　　　　　１７.００
ラウレス硫酸ナトリウム（２６％）　　　　　　　１３.００
コカミドプロピルベタイン（３５％）　　　　　　　２.５０
コカミドＤＥＡ　　　　　　　　　　　　　　　　　４.５０
エチレングリコールジステアレート　　　　　　　　１.２５
ステアレス−２０　　　　　　　　　　　　　　　　０.３０
ジメチコン　　　　　　　　　　　　　　　　　　　３.００
クエン酸　　　　　　　　　　　　　　　　　　　　ｐＨ６になるまで
水　　　　　　　　　　　　　　　　　　　　　　　１００％までの残部
　
　本願補正発明と引用発明とを対比する。
　引用発明のジメチコンは、ポリジメチルシロキサンのことであり、本願補正発明のポリオルガノシロキサンの１種である。
　そして、引用発明のＰＲＭは、「アクリル酸のＣ1 〜Ｃ6 アルキルエステルおよびメタクリル酸のＣ1 〜Ｃ6 アルキルエステルからなる群より選ばれたアクリレートモノマー（ａ）５〜８０重量％、少なくとも１個の窒素または硫黄原子を含むビニル置換複素環式化合物、（メト）アクリルアミド、モノ−若しくはジ（Ｃ1 〜Ｃ4 ）アルキルアミノ（Ｃ1 〜Ｃ4 ）アルキル（メト）アクリレート、モノ−若しくはジ（Ｃ1 〜Ｃ4 ）アルキルアミノ（Ｃ1 〜Ｃ4 ）アルキル（メト）アクリルアミドからなる群より選ばれたモノマー（ｂ）５〜８０重量％、および、会合性モノマー（ｃ）０〜３０重量％、からなる群より選ばれたモノマーの重合により製造されたものであり、ここで、全ての百分率は前記ポリマーレオロジー調節剤を製造するために使用されるモノマーの合計重量を基準としたものである」（上記(1))）から、引用発明のＰＲＭは、本願補正発明の(a)、(b)、(c)からなる少なくとも一種のアクリルターポリマーである。
　さらに、引用発明の、ラウリル硫酸ナトリウム、ラウレス硫酸ナトリウムは、本願補正発明の洗浄界面活性剤であり、引用発明の残部を構成する水は、本願補正発明の化粧上許される媒体である。
　また、引用発明のコンディショニングシャンプーは、毛髪を洗浄するとともに、コンディショニング剤として、ジメチコン、ポリクオーターニウム−１０、コカミドプロピルベタインを含有し、毛髪に艶や滑りをあたえる組成物であり、毛髪はケラチン物質であるから、本願補正発明のケラチン物質を洗浄しかつ滑らかにする組成物に相当する。
　そうすると、両者は、化粧上許される媒体中に、少なくとも一緒の洗浄界面活性剤及び少なくとも一緒のポリオルガノシロキサンを含むケラチン物質を洗浄しかつ滑らかにする組成物であって、組成物がまた
−５質量％から８０質量％までの、Ｃ1−Ｃ6アルキルアクリレート及びＣ1−Ｃ6アルキルメタクリレートから選ばれたアクリレートモノマー(ａ)；
−５質量％から８０質量％までの、少なくとも１個の窒素原子又は硫黄原子を含む複素環ビニル化合物、（メタ）アクリルアミド、モノ又はジ(Ｃ1−Ｃ4)アルキルアミノ(Ｃ1−Ｃ4)アルキル（メタ）アクリレート及びモノ又はジ(Ｃ1−Ｃ4)アルキルアミノ(Ｃ1−Ｃ4)アルキル（メタ）アクリルアミドから選ばれたモノマー(ｂ)；
−０.１質量％から３０質量％までの、
ノニオン界面活性剤をα，β−エチレン性不飽和カルボン酸又はその酸無水物と縮合することにより得られた共重合性エチレン性不飽和界面活性剤モノマー；
から選ばれたモノマー(ｃ)
からなる少なくとも一種のアクリルターポリマー（モノマーの質量％はターポリマーを構成するモノマーの合計質量を基準とする）を含むことを特徴とするケラチン物質を洗浄する組成物である点で一致し、前者はポリオルガノシロキサンが０.１ ｍ2.ｓ-1以上の粘度を有するものであるのに対し、後者は粘度について記載されていない点で相違する。
　
　そこで、相違点について検討する。
　引用例２には、コンディショニングシャンプーへ配合するコンディショニング剤としてシリコーン化合物（上記 (6)）が記載されている。
　そして、粘度については、１００,０００〜 １,５００,０００センチストークスのものが特に好ましいことが記載されている。ここで、１００,０００〜 １,５００,０００センチストークスを ｍ2.s-1単位に換算すると、０.１〜１.５ｍ2.s-1である（上記 (7)）。
　さらに、化学構造についてはポリジメチルシロキサン、すなわちジメチコーンが特に好ましいことが記載され（上記 (7)）、ジメチコーンを配合したコンディショニングシャンプーの実施例が実施例番号Ｉ〜Ｖとして記載されている（上記 (8)）。
　そうすると、引用例２に接した当業者は、コンディショニング剤としてのシリコーン化合物としては、粘度が０.１〜１.５ｍ2.s-1のジメチコ−ンの使用が特に好ましいと理解するのが自然であり、引用発明において使用するジメチコンとして、０.１ｍ2.s-1以上の粘度のジメチコ−ンを適用することは当業者が容易に想到しうることである。
　そして、シャンプー等の毛髪用化粧料でのコンディショニング効果は、一般的に髪に柔らかさ、しなやかさ、ツヤなどを与えたり、静電気防止や髪表面の保護及び櫛通りを良くして髪のまとまりやすくすること等をいうから、本願発明における効果、すなわち、審判請求書において粘度６０,０００cst と３００,０００cst のジメチコンを含むコンディショニングシャンプーを適用した比較試験結果が３００,０００cstのジメチコンの方が、毛髪のカールのスプリング及び滑らかさにおいて優れていることは、一般にいうコンディショニング効果に他ならず、引用例２にジメチコーンのコンディショニング剤として好ましい粘度が １００,０００〜 １,５００,０００cst であることが記載されている以上、当業者が予想しうる程度のものであって、格別顕著なものとは言えない。
　
　したがって、本願補正発明は、引用例１及び２に記載された発明に基づいて当業者が容易に発明をすることができたものであるから、特許法第２９条第２項の規定により特許出願の際独立して特許を受けることができないものである。
　
（４）むすび
　以上のとおり、本件補正は、特許法第１７条の２第５項で準用する同法第１２６条第５項の規定に違反するものであり、特許法第１５９条第１項において読み替えて準用する特許法第５３条第１項の規定により却下すべきものである。
　
３．本願発明について
　平成１７年３月２日付けの手続補正は上記のとおり却下されたので、本願の請求項１に係る発明（以下、本願発明という。）は、上記の平成１６年９月８日付手続補正書の特許請求の範囲の請求項１に記載されたとおりのものである。
　
（１）引用例
　原査定の拒絶理由に引用された引用例及びその記載事項は、前記「２.（２）」に記載したとおりである。
　
（２）対比・判断
　本願発明は、前記２．で検討した本願補正発明から「組成物」の限定事項である「かつ滑らかにする」との事項を省き、「モノマー(ｃ)を、「ノニオン界面活性剤をα，β−エチレン性不飽和カルボン酸又はその酸無水物と縮合することにより得られた共重合性エチレン性不飽和界面活性剤モノマー」１種類に限定せず、これを含む５種類とするものである。
　そうすると、本願発明は、本願補正発明を包含するから、本願補正発明が、前記「２．（３）」に記載したとおり、引用例１及び２に記載された発明に基づいて当業者が容易に発明をすることができたものであるから、本願発明も同様の理由により、引用例１及び２に記載された発明に基づいて当業者が容易に発明をすることができたものである。
　
（３）むすび
　以上のとおり、本願発明は、引用例１及び２に記載された発明に基づいて当業者が容易に発明をすることができたものであるから、特許法第２９条第２項の規定により特許を受けることができない。
　
　よって、結論のとおり審決する。